【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
時分割デュプレクシング(time division duplexing:ＴＤＤ)をサポートする無線通信システムにおける通信するためのユーザ端末の方法であって、
一つ又はそれ以上のサブフレーム、周期、ＴＤＤ無線ネットワーク臨時識別子(radio network temporary identifier:ＲＮＴＩ)に対する情報を受信するステップと、
前記情報に基づいて、ＴＤＤアップリンク−ダウンリンク(uplink-downlink:ＵＬ−ＤＬ)設定(configuration)に対する情報を含む物理ダウンリンク制御チャンネル(physical downlink control channel:ＰＤＣＣＨ）を受信するステップと、
前記ＴＤＤ ＵＬ-ＤＬ設定に基づいて通信するステップと、を含み、
前記ＴＤＤ ＵＬ-ＤＬ設定に対する情報を含む前記ＰＤＣＣＨは、前記周期内の前記一つ又はそれ以上のサブフレームのうちの少なくとも一つで受信される、ユーザ端末の方法。
【請求項２】
前記受信されたＰＤＤＣＣＨに含まれた前記ＴＤＤ ＵＬ-ＤＬ設定に対する情報は、複数のＴＤＤ ＵＬ-ＤＬ設定のうちの一つに対応する、請求項１に記載のユーザ端末の方法。
【請求項３】
前記通信するステップは、
前記ＴＤＤ ＵＬ-ＤＬ設定が現在周期内の一つ又はそれ以上のサブフレームの第１のサブフレームで受信されると、前記第１のサブフレームで受信された前記ＴＤＤ ＵＬ-ＤＬ設定に基づいて前記現在周期で通信するステップと、
前記ＴＤＤ ＵＬ-ＤＬ設定が現在周期内の一つ又はそれ以上のサブフレームの前記第１のサブフレームでない一つ又はそれ以上の残りのサブフレームで受信されると、前記一つ又はそれ以上の残りのサブフレームで受信された前記ＴＤＤ ＵＬ-ＤＬ設定に基づいて次の週期で通信するステップと、を含む、請求項１に記載のユーザ端末の方法。
【請求項４】
前記ユーザ端末は、前記残りのサブフレーム内のＴＤＤ ＵＬ-ＤＬ設定は同一であると仮定する、請求項３に記載のユーザ端末の方法。
【請求項５】
前記ＴＤＤ ＵＬ-ＤＬ設定は、現在周期の最後のフレームで受信され、
前記通信するステップは、前記最後のフレームで受信された前記ＴＤＤ ＵＬ-ＤＬ設定に基づいて次の週期で通信するステップを含む、請求項１に記載のユーザ端末の方法。
【請求項６】
前記一つ又はそれ以上のサブフレームに対する情報は、１０ビットを有するビットマップを利用して設定される、請求項１に記載のユーザ端末の方法。
【請求項７】
時分割デュプレクシング(time  division  duplexing:ＴＤＤ)をサポートする無線通信システムにおける通信するための基地局の方法であって、
一つ又はそれ以上のサブフレーム、周期、ＴＤＤ無線ネットワーク臨時識別子(radio network temporary identifier:ＲＮＴＩ)に対する情報を送信するステップと、
前記情報に基づいて、ＴＤＤアップリンク−ダウンリンク(uplink-downlink:ＵＬ−ＤＬ)設定(configuration)に対する情報を含む物理ダウンリンク制御チャンネル(physical downlink control channel:ＰＤＣＣＨ）を送信するステップと、
前記ＴＤＤ ＵＬ-ＤＬ設定に基づいて通信するステップと、を含み、
前記ＴＤＤ ＵＬ-ＤＬ設定に対する情報を含む前記ＰＤＣＣＨは、前記周期内の前記一つ又はそれ以上のサブフレームのうちの少なくとも一つで送信される、基地局の方法。
【請求項８】
前記送信されたＰＤＤＣＣＨに含まれた前記ＴＤＤ ＵＬ-ＤＬ設定に対する情報は、複数のＴＤＤ ＵＬ-ＤＬ設定のうちの一つに対応する、請求項７に記載の基地局の方法。
【請求項９】
前記通信するステップは、
前記ＴＤＤ ＵＬ-ＤＬ設定が現在周期内の一つ又はそれ以上のサブフレームの第１のサブフレームで送信されると、前記第１のサブフレームで送信された前記ＴＤＤ ＵＬ-ＤＬ設定に基づいて前記現在周期で通信するステップと、
前記ＴＤＤ ＵＬ-ＤＬ設定が現在周期内の一つ又はそれ以上のサブフレームの前記第１のサブフレームでない一つ又はそれ以上の残りのサブフレームで送信されると、前記一つ又はそれ以上の残りのサブフレームで送信された前記ＴＤＤ ＵＬ-ＤＬ設定に基づいて次の週期で通信するステップと、を含む、請求項７に記載の基地局の方法。
【請求項１０】
ユーザ端末は、前記残りのサブフレーム内のＴＤＤ ＵＬ-ＤＬ設定は同一であると仮定する、請求項９に記載の基地局の方法。
【請求項１１】
前記ＴＤＤ ＵＬ-ＤＬ設定は現在周期の最後のフレームで送信され、
前記通信するステップは、前記最後のフレームで送信された前記ＴＤＤ ＵＬ-ＤＬ設定に基づいて次の週期で通信するステップを含む、請求項７に記載の基地局の方法。
【請求項１２】
前記一つ又はそれ以上のサブフレームに対する情報は１０ビットを有するビットマップを利用して設定される、請求項７に記載の基地局の方法。
【請求項１３】
時分割デュプレクシング(time division duplexing:ＴＤＤ)をサポートする無線通信システムにおける通信するためのユーザ端末の装置であって、
一つ又はそれ以上のサブフレーム、周期、ＴＤＤ無線ネットワーク臨時識別子(radio  network  temporary  identifier:ＲＮＴＩ)に対する情報を受信し、前記情報に基づいて、ＴＤＤアップリンク−ダウンリンク(uplink-downlink:ＵＬ−ＤＬ)設定(configuration)に対する情報を含む物理ダウンリンク制御チャンネル(physical downlink control channel:ＰＤＣＣＨ）を受信する受信部と、
前記ＴＤＤ ＵＬ-ＤＬ設定に基づいて通信するプロセッサと、を含み、
前記ＴＤＤ ＵＬ-ＤＬ設定に対する情報を含む前記ＰＤＣＣＨは、前記周期内の前記一つ又はそれ以上のサブフレームのうちの少なくとも一つで受信される、ユーザ端末の装置。
【請求項１４】
前記受信されたＰＤＤＣＣＨに含まれた前記ＴＤＤ ＵＬ-ＤＬ設定に対する情報は、複数のＴＤＤ ＵＬ-ＤＬ設定のうちの一つに対応する、請求項１３に記載のユーザ端末の装置。
【請求項１５】
前記プロセッサは、
前記ＴＤＤ ＵＬ-ＤＬ設定が現在周期内の一つ又はそれ以上のサブフレームの第１のサブフレームで受信されると、前記第１のサブフレームで受信された前記ＴＤＤ ＵＬ-ＤＬ設定に基づいて前記現在周期で通信し、
前記ＴＤＤ ＵＬ-ＤＬ設定が現在周期内の一つ又はそれ以上のサブフレームの前記第１のサブフレームでない一つ又はそれ以上の残りのサブフレームで受信されると、前記一つ又はそれ以上の残りのサブフレームで受信された前記ＴＤＤ ＵＬ-ＤＬ設定に基づいて次の週期で通信する、請求項１３に記載のユーザ端末の装置。
【請求項１６】
前記プロセッサは、前記残りのサブフレーム内のＴＤＤ ＵＬ-ＤＬ設定は同一であると仮定する、請求項１５に記載のユーザ端末の装置。
【請求項１７】
前記ＴＤＤ ＵＬ-ＤＬ設定は現在周期の最後のフレームで受信され、
前記プロセッサは、前記最後のフレームで受信された前記ＴＤＤ ＵＬ-ＤＬ設定に基づいて次の週期で通信する、請求項１３に記載のユーザ端末の装置。
【請求項１８】
前記一つ又はそれ以上のサブフレームに対する情報は１０ビットを有するビットマップを利用して設定される、請求項１３に記載のユーザ端末の装置。
【請求項１９】
時分割デュプレクシング(time division duplexing:ＴＤＤ)をサポートする無線通信システムにおける通信するための基地局の装置であって、
一つ又はそれ以上のサブフレーム、周期、ＴＤＤ無線ネットワーク臨時識別子(radio network temporary identifier:ＲＮＴＩ)に対する情報を送信し、前記情報に基づいて、ＴＤＤアップリンク−ダウンリンク(uplink-downlink:ＵＬ−ＤＬ)設定(configuration)に対する情報を含む物理ダウンリンク制御チャンネル(physical downlink control channel:ＰＤＣＣＨ）を送信する送信器と、
前記ＴＤＤ ＵＬ-ＤＬ設定に基づいて通信するプロセッサと、を含み、
前記ＴＤＤ ＵＬ-ＤＬ設定に対する情報を含む前記ＰＤＣＣＨは、前記周期内の前記一つ又はそれ以上のサブフレームのうちの少なくとも一つで送信される、基地局の装置。
【請求項２０】
前記送信されたＰＤＤＣＣＨに含まれた前記ＴＤＤ ＵＬ-ＤＬ設定に対する情報は、複数のＴＤＤ ＵＬ-ＤＬ設定のうちの一つに対応する、請求項１９に記載の基地局の装置。
【請求項２１】
前記プロセッサは、
前記ＴＤＤ ＵＬ-ＤＬ設定が現在周期内の一つ又はそれ以上のサブフレームの第１のサブフレームで送信されると、前記第１のサブフレームで送信された前記ＴＤＤ ＵＬ-ＤＬ設定に基づいて前記現在周期で通信し、
前記ＴＤＤ ＵＬ-ＤＬ設定が現在周期内の一つ又はそれ以上のサブフレームの前記第１のサブフレームでない一つ又はそれ以上の残りのサブフレームで送信されると、前記一つ又はそれ以上の残りのサブフレームで送信された前記ＴＤＤ ＵＬ-ＤＬ設定に基づいて次の週期で通信する、請求項１９に記載の基地局の装置。
【請求項２２】
ユーザ端末は、前記残りのサブフレーム内のＴＤＤ ＵＬ-ＤＬ設定は同一であると仮定する、請求項１９に記載の基地局の装置。
【請求項２３】
前記ＴＤＤ ＵＬ-ＤＬ設定は、現在周期の最後のフレームで送信され、
前記プロセッサは、前記最後のフレームで送信された前記ＴＤＤ ＵＬ-ＤＬ設定に基づいて次の週期で通信する、請求項１９に記載の基地局の装置。
【請求項２４】
前記一つ又はそれ以上のサブフレームに対する情報は、１０ビットを有するビットマップを利用して設定される、請求項１９に記載の基地局の装置。